(57)【要約】      （修正有）【課題】かご呼び用の上方向ボタンスイッチおよび下方向ボタンスイッチが設けられたフェースプレートが上下逆さまの反転状態に取り付けられることがあっても、それに影響されることなくかご呼びの方向に関する機能を適正に維持することができるエレベータのかご呼びボタン装置を提供する。【解決手段】フェースプレートに上下に並んで配設された上方向ボタンスイッチ９ａおよび下方向ボタンスイッチ９ｂと、フェースプレートが上下逆さまに反転したときにその動作を検出する反転検出機構１２と、上方向ボタンスイッチ９ａに応じるようにかごを制御する第１の制御回路２４、および下方向ボタンスイッチ９ｂに応じるようにかごを制御する第２の制御回路２５と、反転検出機構１２が出力する信号に応じて上方向ボタンスイッチ９ａおよび下方向ボタンスイッチ９ｂと、第１の制御回路２４および第２の制御回路２５との接続を互いに切替える切替え機構２８とを備える。【選択図】図５
2009227402.tif 000002
【特許請求の範囲】
【請求項１】
エレベータ乗り場の壁面に取り付けられたフェースプレートと、
前記フェースプレートに上下に並んで配設された、前記エレベータ乗り場の下階側で上方向に移動するかごをその乗り場に停止させるかご呼びを行なうときに操作する上方向ボタンスイッチ、および前記エレベータ乗り場の上階側で下方向に移動するかごをその乗り場に停止させるかご呼びを行なうときに操作する下方向ボタンスイッチと、
前記上方向ボタンスイッチに接続され、その上方向ボタンスイッチの操作に応じるようにかごを制御する第１の制御回路、および前記下方向ボタンスイッチに接続され、その下方向ボタンスイッチの操作に応じるようにかごを制御する第２の制御回路と、
前記上方向ボタンスイッチが第１の制御回路に接続し、前記下方向ボタンスイッチが第２の制御回路に接続する状態から前記上方向ボタンスイッチが第２の制御回路に接続し、前記下方向ボタンスイッチが第１の制御回路に接続する状態に切替えることが可能な切替え手段と、
前記フェースプレートに設けられ、該フェースプレートが上下逆さまに反転したときにその動作を検出し、その検出の信号で前記切替え手段を動作させる反転検出手段とを、
具備することを特徴とするエレベータのかご呼びボタン装置。
【請求項２】
前記反転検出手段は、前記フェースプレートに設けられた箱体と、この箱体内に上下に遊動自在に設けられた操作重りと、前記箱体の上下の少なくとも一方の面に設けられた検出スイッチとを備え、前記フェースプレートが上下反転するときの前記操作重りの動きで前記検出スイッチが動作して前記フェースプレートの上下反転を検出することを特徴とする請求項１に記載のエレベータのかご呼びボタン装置。
【請求項３】
前記反転検出手段は警報手段を備え、前記フェースプレートの上下反転を検出したときにその警報手段が動作することを特徴とする請求項１または２に記載のエレベータのかご呼びボタン装置。
【発明の詳細な説明】
【技術分野】
【０００１】
この発明は、エレベータのかごを呼ぶためにエレベータ乗り場に設けられるかご呼びボタン装置に関する。
【背景技術】
【０００２】
建屋のエレベータ乗り場には、エレベータの利両者がかごを呼ぶために使用するかご呼びボタン装置が設けられている。このかご呼びボタン装置は、上方向ボタンスイッチと下方向ボタンスイッチを備え、上方向ボタンスイッチを操作すると、エレベータ乗り場の下階側で上方向に移動しているかごがそのエレベータ乗り場に達したときに停止して着床し、下方向ボタンスイッチを操作すると、エレベータ乗り場の上階側で下方向に移動しているかごがそのエレベータ乗り場に達したときに停止して着床する。
【０００３】
上方向ボタンスイッチおよび下方向ボタンスイッチには、それぞれその表面に方向を表示する矢印形状などのパターンが施され、利用者はそのパターンを見てその方向性を認識する。これら上方向ボタンスイッチおよび下方向ボタンスイッチは、例えば上下に並んでフェースプレートに取り付けられている。フェースプレートは、エレベータ乗り場の壁面に埋め込まれた配線ボックスの前面にビスで取り付けられている。
【０００４】
ところで、フェースプレートは、単なるビス止めであるのでいたずらなどにより取り外されてしまうことがあり、その取り外しを防止する手段が特開平８−１２２１３号公報に開示されている。この特開平８−１２２１３号公報のものは、ビスを緩めてフェースプレートを取り外そうとすると、警報ブザーが鳴動し、これにより取り外しを防止しようとするものである。
【特許文献１】特開平８−１２２１３号公報
【発明の開示】
【発明が解決しようとする課題】
【０００５】
いたずらによりフェースプレートを取り外したときに、警報ブザーの鳴動で驚いてフェースプレートを再び取り付けるようなことが起こり得るが、このような場合、フェースプレートを上下逆さまに取り付け、その取り付けで警報ブザーの鳴動が止まり、フェースプレートが上下逆さまの反転状態のまま放置されてしまうことがある。
【０００６】
また、いたずらによる場合に限らず、例えばかご呼びボタン装置の保守点検時に保守作業員がフェースプレートを一旦取り外し、保守点検後に再度フェースプレートを取り付ける際に、誤ってフェースプレートを上下逆さまに取り付けてしまうことがある。
【０００７】
フェースプレートが上下逆さまの反転状態に取り付けられてしまうと、上方向ボタンスイッチと下方向ボタンスイッチの配置も上下反転してしまう。そして、上方向ボタンスイッチと下方向ボタンスイッチは上下に対称的に配設されているためその配置の反転は見掛け上では気が付かない。
【０００８】
このため、利用者が目的階方向のボタンを操作しても逆方向に移動するかごが到着してしまうこととなり、かご呼びボタン装置が適正に機能せず、利用者に迷惑をかけてしまうことになる。
【０００９】
この発明はこのような点に着目してなされたもので、その目的とするところは、フェースプレートが上下逆さまの反転状態に取り付けられるようなことがあっても、それに影響されることなくかご呼びの機能を適正に維持することができるエレベータのかご呼びボタン装置を提供することにある。
【課題を解決するための手段】
【００１０】
請求項１の発明は、エレベータ乗り場の壁面に取り付けられたフェースプレートと、前記フェースプレートに上下に並んで配設された、前記エレベータ乗り場の下階側で上方向に移動するかごをその乗り場に停止させるかご呼びを行なうときに操作する上方向ボタンスイッチ、および前記エレベータ乗り場の上階側で下方向に移動するかごをその乗り場に停止させるかご呼びを行なうときに操作する下方向ボタンスイッチと、前記上方向ボタンスイッチに接続され、その上方向ボタンスイッチの操作に応じるようにかごを制御する第１の制御回路、および前記下方向ボタンスイッチに接続され、その下方向ボタンスイッチの操作に応じるようにかごを制御する第２の制御回路と、前記上方向ボタンスイッチが第１の制御回路に接続し、前記下方向ボタンスイッチが第２の制御回路に接続する状態から前記上方向ボタンスイッチが第２の制御回路に接続し、前記下方向ボタンスイッチが第１の制御回路に接続する状態に切替えることが可能な切替え手段と、前記フェースプレートに設けられ、該フェースプレートが上下逆さまに反転したときにその動作を検出し、その検出の信号で前記切替え手段を動作させる反転検出手段とを具備することを特徴としている。
【００１１】
請求項２の発明は、前記反転検出手段が、前記フェースプレートに設けられた箱体と、この箱体内に上下に遊動自在に設けられた操作重りと、前記箱体の上下の少なくとも一方の面に設けられた検出スイッチとを備え、前記フェースプレートが上下反転するときの前記操作重りの動きで前記検出スイッチが動作して前記フェースプレートの上下反転を検出することを特徴としている。
【００１２】
請求項３の発明は、前記反転検出手段が警報手段を備え、前記フェースプレートの上下反転を検出したときにその警報手段が動作することを特徴としている。
【発明の効果】
【００１３】
この発明によれば、かご呼び用の上方向ボタンスイッチおよび下方向ボタンスイッチが設けられたフェースプレートが上下逆さまの反転状態に取り付けられることがあっても、それに影響されることなくかご呼びの機能を適正に保つことができる。
【発明を実施するための最良の形態】
【００１４】
以下、この発明の実施の形態について図面を参照して説明する。
【００１５】
図１には、建屋の最下階と最上階との間のＡ階におけるエレベータ乗り場１の外観を示してある。この乗り場１の壁面には乗降口２が形成され、この乗降口２に両開き式のドア装置３が設けられている。このドア装置３は例えば一対のドアパネル３ａ，３ｂを備え、これらドアパネル３ａ，３ｂが左右に移動することにより乗降口２が開閉される。
【００１６】
乗り場１の壁面には、乗降口２と隣接してかご呼び操作盤４が設けられている。図２にはかご呼び操作盤４の正面図を、図３には同じく断面図を示してある。
【００１７】
かご呼び操作盤４は、金属製のフェースプレート５を備え、このフェースプレート５は乗り場１の壁面に形成された取付穴６内に埋め込まれた配線ボックス７の前面に止めビス８を介して取り付けられている。そしてこのフェースプレート５に、上方向ボタンスイッチ９ａと下方向ボタンスイッチ９ｂとが上下に並んで対称的に配設されている。
【００１８】
さらにフェースプレート５の裏面には反転検出機構１２が設けられている。この反転検出機構１２は、図４に示すように、箱体１３を有し、この箱体１３の上下面部にそれぞれ検出スイッチ１４ａ，１４ｂが取り付けられ、また箱体１３の内部には操作重り１５が遊動自在に収納されている。
【００１９】
検出スイッチ１４ａ，１４ｂは、所定以上の力で押圧操作されたときに所定の信号を出力する小型のスイッチ素子であり、また操作重り１５は箱体１３内で自由に遊動し得るように例えば球体状をなし、検出スイッチ１４ａ，１４ｂの操作圧力の値よりも大きな質量を有している。
【００２０】
上方向ボタンスイッチ９ａ、下方向ボタンスイッチ９ｂおよび検出スイッチ１４ａ，１４ｂからは、図３および図４に示すようにそれぞれリード線１６ａ，１６ｂ，１７ａ，１７ｂが導出され、これらリード線１６ａ，１６ｂ，１７ａ，１７ｂがコネクタ２０を介して外部線２１に接続され、この外部線２１がエレベータの運行を制御する制御盤２２に接続されている。
【００２１】
図５には電気回路の構成を示してあり、制御盤２２はかごＷの位置および移動方向を認識し、Ａ階のかご呼び操作盤４によるかご呼びの行先方向が上方向で、かつその時点でＡ階より下方の位置で上方向に移動するかごが存在するときにそのかごをＡ階で停止させるように制御する第１の制御回路２４と、Ａ階のかご呼び操作盤４によるかご呼びの行先方向が下方向で、かつその時点でＡ階より上方の位置で下方向に移動するかごが存在するときにそのかごをＡ階で停止させる制御する第１の制御回路２４とを備えている。
【００２２】
そして、かご呼び操作盤４の上方向ボタンスイッチ９ａは切替え機構２８を介して前記第１の制御回路２４に接続され、下方向ボタンスイッチ９ｂは切替え機構２８を介して前記第２の制御回路２５に接続されている。また反転検出機構１２の検出スイッチ１４ａ，１４ｂは切替え機構２８に接続され、検出スイッチ１４ａ，１４ｂが出力する信号に基づいて、上方向ボタンスイッチ９ａ、下方向ボタンスイッチ９ｂと第１および第２の制御回路２４，２５との接続が互いに入れ替るように切替え機構２８の動作で切替えられるようになっている。
【００２３】
次に、作用について述べる。
【００２４】
エレベータの利用者がＡ階のエレベータ乗り場１において、上階への移動を望んで上方向ボタンスイッチ９ａを押すと、その信号が制御盤２２の第１の制御回路２４に送られる。そして、Ａ階より下階側でかごＷが上方向に移動しているときには第１の制御回路２４によりそのかごＷがＡ階で停止するように制御される。
【００２５】
かごＷがＡ階で停止した際には、かごＷの出入口のかごドアおよびエレベータ乗り場１の乗降口２の乗り場ドア３が開き、これによりかごＷへの利用者の乗り込みが可能となる。かごＷに利用者が乗り込んだ後には、かごドアおよび乗り場ドア３が閉じ、かごＷが上方の目的階に向って移動する。
【００２６】
また、エレベータの利用者がＡ階のエレベータ乗り場１において、下階への移動を望んで下方向ボタンスイッチ９ｂを押したときには、その信号が制御盤２２の第２の制御回路２５に送られる。そして、Ａ階より上階側でかごＷが下方向に移動しているときには第２の制御回路２５によりそのかごＷがＡ階で停止するように制御される。
【００２７】
かごＷがＡ階で停止した際には、かごＷの出入口のかごドアおよびエレベータ乗り場１の乗降口２の乗り場ドア３が開き、これによりかごＷへの利用者の乗り込みが可能となり、その乗り込み後に、かごドアおよび乗り場ドア３が閉じ、かごＷが下方の目的階に向って移動する。
【００２８】
ところで、いたずらや保守点検などにより、止めビス８を抜き取ってかご呼び操作盤４のフェースプレート５を配線ボックス７から取り外し、その後、フェースプレート５を上下が逆さまとなる反転状態で配線ボックス７に再び止めビス８で取り付けたような場合の作用について説明する。
【００２９】
この場合には、フェースプレート５が上下反転することで、反転検出機構１２の箱体１３も上下に反転し、この箱体１３内の操作重り１５が遊動して一方の検出スイッチ１４ａに接する位置から他方の検出スイッチ１４ｂに接する位置に移動し、この検出スイッチ１４ｂが操作重り１５の重力で押圧操作され、その信号が制御盤２２の切替え機構２８に送られる。そしてこの信号に基づいて、切替え機構２８により上方向ボタンスイッチ９ａが第１の制御回路２４に接続し、下方向ボタンスイッチ９ｂが第２の制御回路２５に接続する状態から、上方向ボタンスイッチ９ａが第２の制御回路２５に接続し、下方向ボタンスイッチ９ｂが第２の制御回路２５に接続する状態に切替えられる。
【００３０】
したがって、上下の反転で下向きに向いた上方向ボタンスイッチ９ａを下向用として利用者が操作したときには、その信号が第２の制御回路２５に送られ、Ａ階より上階側でかごＷが下方向に移動しているときにそのかごＷがＡ階で停止するように制御され、また下方向ボタンスイッチ９ｂを上向用として利用者が操作したときには、その信号が第１の制御回路２４に送られ、Ａ階より下階側でかごＷが上方向に移動しているときにそのかごＷがＡ階で停止するように制御される。すなわち、上方向ボタンスイッチ９ａと下方向ボタンスイッチ９ｂとの位置および向きが入れ替っても、その入れ替りに応じるように制御回路２４，２５に対する接続が自動的に切替ってかご呼びが適正に行なわれる。
【００３１】
これにより、いたずらや保守点検の作業時にフェースプレート５が上下逆さまに取り付けられてもかご呼びの機能が適正に保たれ、したがって特に保守点検の際にフェースプレート５の上下方向をいちいち確認しながら取り付けるような面倒な作業が不要となり、作業能率が向上する。
【００３２】
前記第１の実施形態では、反転検出機構１２の箱体１３の上下面に検出スイッチ１４ａ，１４ｂを設け、これら検出スイッチ１４ａ，１４ｂを操作重り１５で択一的に操作してフェースプレート５の上下反転の信号を出力するようにしたが、図６に第２の実施形態として示すように、箱体１３の上下の一方の面に一つの検出スイッチ１４を設ける構成とすることも可能である。
【００３３】
この場合には、図６（Ａ）に示すように、フェースプレート５が正立しているときには、箱体１３内の操作重り１５が検出スイッチ１４から離れ、オフ状態にある。この状態からフェースプレート５が上下反転して図６（Ｂ）に示すように倒立すると、操作重り１５が箱体１３内で遊動して検出スイッチ１４に接触し、その重力で検出スイッチ１４がオン状態なり、その信号が図５に示す制御盤２２の切替え機構２８にフェースプレート５の上下反転の情報として送られる。
【００３４】
さらに、図７に示す第３の実施形態においては、箱体１３に一つの検出スイッチ１４が設けられているととともに、箱体１３の外面部に警報手段としてのブザー３０が取り付けられ、このブザー３０が前記検出スイッチ１４にリード線３１を介して接続されている。
【００３５】
この構成においては、フェースプレート５が正立する図７（Ａ）の状態からフェースプレート５が取り外されて図７（Ｂ）に示すように上下逆さまの状態になると、操作重り１５が箱体１３内で遊動して検出スイッチ１４に接触し、その重力で検出スイッチ１４がオンし、フェースプレート５の上下反転が検出されるとともに、ブザー３０が鳴動する。
【００３６】
したがってこの実施形態の場合には、いたずらによりフェースプレート５が取り外され、上下が反転されたようなときにブザー３０が鳴動してそのいたずらに対して警告を発することができる。
【００３７】
また、フェースプレート５の表面に上下の方向性をもつ意匠デザインが施されているような場合に、保守点検でフェースプレート５を取り外した後に、そのフェースプレート５を誤って上下逆さまに取り付けようとしたときにブザー３０が鳴動して警告が発せられる。したがってフェースプレート５を上下逆さまのまま取り付けてしまうような誤りを防止することができる。
【００３８】
なお前記各実施形態では、操作重り１５を球状体としたが、箱体１３内で円滑に遊動し得る形状であれば球状体に限らず、他の形状であってもよい。また、フェースプレート５を配線ボックス７に取り付ける手段としては、止めビス８を用いる場合のほか、板ばねなどを用いる圧入方式で取り付けるような場合であってもよい。
【図面の簡単な説明】
【００３９】
【図１】この発明の第１の実施形態に係るかご呼びボタン装置が設けられたエレベータ乗り場の外観を示す斜視図。
【図２】そのかご呼びボタン装置のかご呼び操作盤を示す正面図。
【図３】そのかご呼びボタン装置のかご呼び操作盤を示す断面図。
【図４】そのかご呼びボタン装置における反転検出機構を示す断面図。
【図５】そのかご呼び操作盤の電気回路の構成を示すブロック図。
【図６】この発明の第２の実施形態に係るかご呼びボタン装置における反転検出機構を示す断面図。
【図７】この発明の第３の実施形態に係るかご呼びボタン装置における反転検出機構を示す断面図。
【符号の説明】
【００４０】
１…エレベータ乗り場
４…かご呼び操作盤
５…フェースプレート
７…配線ボックス
８…ビス
９ａ…上方向ボタンスイッチ
９ｂ…下方向ボタンスイッチ
１２…反転検出機構
１３…箱体
１４ａ．１４ｂ…検出スイッチ
２２…制御盤
２４…第１の制御回路
２５…第２の制御回路
２８…切替え機構
３０…ブザー
【図１】
2009227402.tif 000003
【図２】
2009227402.tif 000004
【図３】
2009227402.tif 000005
【図４】
2009227402.tif 000006
【図５】
2009227402.tif 000007
【図６】
2009227402.tif 000008
【図７】
2009227402.tif 000009